(57)【要約】  【課題】  撮影した画像データの機密性が高く、また、製造コストを抑えることができる電子機器を提供する。  【解決手段】  画像を鮮鋭化し、輪郭部分近傍を強調する鮮鋭化処理部７１、鮮鋭化された登録画像と照合画像とを照合し類似度を導出する類似度導出部７２、導出された類似度に基づき、登録画像の特徴と照合画像の特徴とが一致するか否かを判定する照合結果判定部７３を備え、登録画像の特徴と照合画像の特徴とが一致すると判定されたときに、登録画像と対応するディレクトリ内に記録されている画像に対する操作を可能とする。【選択図】    図１
2011095980.tif 000002
【特許請求の範囲】
【請求項１】
記録媒体に第１データを格納するためのフォルダを生成する生成手段、
第２データを、前記フォルダと関連付ける関連付け手段、
前記関連付け手段によって関連付けられた前記フォルダに格納された前記第１データに対する操作を制限する制限手段、
を備えることを特徴とする電子機器。
【請求項２】
第３データと前記第２データとの特徴が略一致するか否かを判定する判定手段、
前記判定手段により特徴が略一致すると判定された場合に前記制限手段による制限状態を解除する解除手段、
を備えることを特徴とする請求項１記載の電子機器。
【請求項３】
前記第２データ及び前記第３データは画像であり、前記第１データに対する操作は、画像の再生を行う操作、画像の表示を行う操作、画像の複製を行う操作、画像の削除を行う操作、及び画像の編集を行なう操作の内、少なくとも一つを含むことを特徴とする請求項１乃至２記載の電子機器。
【請求項４】
Ｎ（Ｎは１以上の整数）個のフォルダから、Ｍ（Ｍは１以上の整数でＭ≦Ｎ）個のフォルダを選択させる第１フォルダ選択手段、
第１データを受け付ける第１受付手段、
前記第１データと前記フォルダ選択手段により選択されたＭ個のフォルダとを関連付ける関連付け手段、
前記Ｍ個のフォルダに格納されているデータに対する操作を制限する制限手段、
を備えること特徴とする電子機器。
【請求項５】
前記制限状態にあるＭ個フォルダから所望のフォルダを選択させる第２フォルダ選択手段、
第２データを受け付ける第２受付手段、
前記第１データと前記第２データとを照合し、特徴が略一致するか否かを判定する判定手段、
前記判別手段により特徴が略一致した場合に前記制限を解除する解除手段、
を備えることを特徴とする請求項４記載の電子機器。
【請求項６】
前記データに対する操作は、データの実行、データの複製、データの削除、データの編集の内、少なくとも１つを含むことを特徴とする請求項４乃至５記載の電子機器。
【発明の詳細な説明】
【技術分野】
【０００１】
本発明は、電子機器に関する。
【背景技術】
【０００２】
近年、ＰＣ（パーソナルコンピュータ）やデジタルカメラなどの電子機器が広く普及している。この種の電子機器を家族や会社など複数の人物で共有して使用する場合もよくある。そのような場合、誰でも簡単に記録媒体に記録されているデータ類の再生、表示、複製、削除、編集などを行うことができるため、プライバシーやセキュリティの面での安全性に問題があった。そこで近年、データの機密性に配慮した電子機器が提案されている。例えば、特許文献１には、指紋検出装置を有するシャッターボタンを備える撮像装置に関する発明が開示されている。係る撮像装置は、指紋検出機能を有するシャッターボタンに触れることよって指紋検出機能が検出した指紋を予め記憶しておく記憶手段を備え、前記記憶手段によって記憶された指紋と前記指紋検出機能を有するシャッターボタンに触れることによって指紋検出機能が新たに検出した指紋とを照合し、前記記憶手段によって記憶された指紋と新たに検出した指紋の特徴が一致した場合に撮像装置に記録されている画像ファイルに対する操作を許可する。
【先行技術文献】
【特許文献】
【０００３】
【特許文献１】特開2000-115624号公報
【発明の概要】
【発明が解決しようとする課題】
【０００４】
特許文献１にかかる発明によると、指紋を検出するための指紋検出装置が必要となる。しかし、指紋検出装置をはじめとする生態認証装置を電子機器に備えることで、プライバシーやセキュリティ面における安全性は高くなるが、それに伴い当該電子機器の製造コストが高くなるおそれがある。
【課題を解決するための手段】
【０００５】
本願発明は、上記課題に鑑みて成されたものであり、記録媒体に第１データを格納するためのフォルダを生成する生成手段、第２データを、前記フォルダと関連付ける関連付け手段、前記関連付け手段によって関連付けられた前記フォルダに格納された前記第１データに対する操作を制限する制限手段、第３データと前記第２データとの特徴が略一致するか否かを判定する判定手段、前記判定手段により特徴が略一致すると判定された場合に前記制限手段による制限状態を解除する解除手段、を備えることを特徴とする。
【発明の効果】
【０００６】
本発明によると、電子機器が取得したデータの機密性を維持すると共に当該電子機器の製造コストを抑えることができる電子機器を提供することができる。
【図面の簡単な説明】
【０００７】
【図１】本発明に係る撮像装置の内部構造の概略を示すブロック図である。
【図２】本発明に係る撮像装置の静止画撮影時の基本動作の概略を示すフローチャートである。
【図３】外部メモリ２７のフォルダ構造の概略を示す図解図である。
【図４】ＴＡＢＬＥの構造の概略を示す図解図である。
【図５】登録画像撮影時及び照合画像撮影時における撮像装置の表示部の状態を示す図解図である。
【図６】フォルダロック処理の基本動作の概略を示すフローチャートである。
【図７】フォルダロック解除処理の基本動作の概略を示すフローチャートである。
【図８】画像照合部７ｂの内部構造の概略を示すフローチャートである。
【図９】画像照合処理の基本動作の概略を示すフローチャートである。
【実施例】
【０００８】
本発明の一実施形態である撮像装置について、図面を参照して説明する。尚、撮像装置は静止画を撮影できるものであれば、動画の撮影が可能であっても構わない。
（撮像装置の構成）
まず、撮像装置の内部構成について、図１を参照して説明する。図１は、本実施形態に係る撮像装置の内部構成を示すブロック図である。
【０００９】
図１の撮像装置は、入射される光を電気信号に変換するＣＣＤ（Charge Coupled Device）又はＣＭＯＳ（Complementary Metal Oxide Semiconductor）センサなどの固体撮像素子（イメージセンサ）１と、被写体の光学像をイメージセンサ１に結像させるズームレンズとズームレンズの焦点距離すなわち光学ズーム倍率を変化させるモータとズームレンズの焦点を被写体に合わせるためのモータとを有するレンズ部３を備える。
【００１０】
また、図１の撮像装置は、イメージセンサ１から出力されるアナログ信号である画像信号をデジタル信号に変換するＡＦＥ（Analog Front End）５と、ＡＦＥ５からのデジタル信号となる画像信号に対して、階調補正等の各種画像処理を施す画像処理部７と、静止画を撮影する場合は画像処理部７からの画像信号に対してＪＰＥＧ（Joint Photographic Experts Group）圧縮方式など、動画を撮影する場合は画像処理部７からの画像信号と集音マイクを含む音声処理部（図示せず）から出力される音声信号とに対してＭＰＥＧ（Moving Picture Experts Group）圧縮方式などの圧縮符号化処理を施す圧縮処理部９と、圧縮処理部９で圧縮符号化された圧縮符号化信号をＳＤメモリカード（SD Memory Card）などの外部メモリ２７に記録するドライバ部２９と、ドライバ部２９で外部メモリ２７から読み出した圧縮符号化信号を伸長して復号化する伸長処理部１１と、伸長処理部１１で復号されて得られた画像信号に基づく画像の表示を行うＬＣＤ（Liquid Crystal Display）等を有する表示部１３と、を更に備える。
【００１１】
また、図１の撮像装置は、各ブロックの動作タイミングを一致させるためのタイミング制御信号を出力するタイミングジェネレータ（ＴＧ）１５と、撮像装置内全体の駆動動作を制御するＣＰＵ（Central Processing Unit）１７と、各動作のための各プログラムを記憶するとともにプログラム実行時のデータの一時保管を行うメモリ１９と、静止画撮影用のシャッターボタンを含む、ユーザからの指示が入力される操作部２１と、を更に備える。
【００１２】
また、図１の撮像装置は、ＣＰＵ１７と各ブロックとの間でデータのやりとりを行うためのバス２３と、メモリ１９と各ブロックとの間でデータのやりとりを行うためのバス２５と、を更に備える。
【００１３】
レンズ部３は、画像処理部７で検出した画像信号に応じてＣＰＵ１７が、モータを駆動して焦点、絞りの制御を行うものである。
【００１４】
また、画像処理部７は、ＡＦＥ５から出力された画像信号に応じた画像の一部を切り出すための画像切り出し部７ａ及び画像の照合を行なうための画像照合部７ｂを更に備える。
（撮像装置の基本動作  撮影時）
次に、図２を参照して、この撮像装置の静止画撮影時の基本動作についてフローチャートを用いて説明する。ユーザが撮像装置の電源をＯＮにすると、撮像装置の駆動モードつまりイメージセンサ１の駆動モードがプレビューモードに設定される（Ｓ２００）。プレビューモードとは、撮影対象となる画像を記録することなく表示部１３に表示するモードであり、撮影対象を定め、構図を決定するために用いることができる。続いて撮影モードの入力待ち状態となり、人物撮影に適したモード、移動物の撮影に適したモード、逆光での撮影に適したモード等、撮像装置の機能や撮影シーンに応じたモードが選択される。撮影モードが入力されない場合は通常撮影モードが選択されたものとする（Ｓ２０２）。
【００１５】
プレビューモードでは、イメージセンサ１の光電変換動作によって得られたアナログの画像信号は、ＡＦＥ５においてデジタル画像信号に変換されて、画像処理部９で色分離、ホワイトバランス調整、ＹＵＶ変換などの画像処理が施され、メモリ１９に書き込まれる。メモリ１９に書き込まれた画像信号は、逐次、表示部１３に表示される。この結果、撮影領域を表すリアルタイム動画像（プレビュー画像）が表示部２３に表示される。
続いてユーザが、撮影の対象とする被写体に対して所望の画角となるように、光学ズームでのズーム倍率を設定する（Ｓ２０４）。その際、画像処理部９に入力された画像信号を基にＣＰＵ３７によってレンズ部３を制御して、最適な露光制御（Automatic Exposure；ＡＥ）・焦点合わせ制御（Automatic Focus；ＡＦ）が行われる（Ｓ２０６）。ユーザが撮影画角、構図を決定し、操作部４１のシャッターボタンを半押しすると（Ｓ２０８でＹｅｓ）、ＡＥの調整を行い（Ｓ２１０）、ＡＦの最適化処理を行う（Ｓ２１２）。
【００１６】
その後、シャッターボタンが全押しされると（Ｓ２１４でＹｅｓ）、ＴＧ３５より、イメージセンサ１、ＡＦＥ５、画像処理部９及び圧縮処理部１３それぞれに対してタイミング制御信号が与えられ、各部の動作タイミングを同期させ、イメージセンサ１の駆動モードを静止画撮影モードに設定し（Ｓ２１６）、イメージセンサ１から出力されるアナログ画像信号をＡＦＥ５でデジタル画像信号に変換して画像処理部９内のフレームメモリに書き込む（Ｓ２１８）。このデジタル信号がこのフレームメモリから読み込まれ、画像処理部９において輝度信号及び色差信号の生成を行う信号変換処理などの各種画像処理が施され、画像処理が施された信号が圧縮処理部１３においてＪＰＥＧ（Joint Photographic Experts Group）形式に圧縮された（Ｓ２２０）後、外部メモリ４７に圧縮画像を書き込み（Ｓ２２２）、撮影を完了する。その後、プレビューモードに戻る。
（撮像装置の基本動作  画像再生時）
外部メモリ２７に記録された動画を再生することが、操作部２１を通じて指示されると、再生を選択された圧縮信号が、ドライバ部２９によって読み出されて伸長処理部１７に与えられる。そして、伸長処理部１７において、圧縮符号方式に基づいて、伸長復号されて、画像信号が取得される。そして、画像信号が表示部１３に与えられて画像が再生される。これにより、外部メモリ２７に記録された圧縮信号に基づく画像が再生される。
（フォルダロック機能）
本発明にかかる撮像装置は、撮影者以外の人物が、無断で外部メモリ２７に記録されている画像ファイルを操作できないようにするためのフォルダロック機能を備えている。フォルダロックがかけられているフォルダに記録されている画像ファイルに対しては、後述する照合処理を行い、該照合処理によってロックが解除されない限り、再生、表示、コピー、削除、編集等の操作を行うことはできない。
【００１７】
フォルダロック機能は、例えば、次のようにして実現される。図３は本実施例にかかる撮像装置の外部メモリ２７のフォルダ階層構造を示している。ＤＣＩＭフォルダには、撮像装置によって撮影された画像が記録されている。図３に示す階層構造では、ＤＣＩＭフォルダＦ１の下層に１２３ＡＢＣＤＥフォルダＦ２が作成され、さらに１２３ＡＢＣＤＥフォルダＦ２の下層に撮影日を示す２００９０１０１フォルダＦ３ａ及び２００９０１０２フォルダＦ３ｂを作成し、撮影画像を撮影日別に分類して記録している。例えば、２００９０１０１フォルダＦ３ａに格納されているＤＣＩＭ０００１．ｊｐｇは２００９年１月１日に１番目に撮影された画像を意味している。
【００１８】
また、Ｆ３ａ及びＦ３ｂのフォルダと同一階層にＮＩＮＳＹＯフォルダＦ３ｃを作成する。ＮＩＮＳＹＯフォルダＦ３ｃには、後述するフォルダロック実行時に撮影した登録画像ＲＰ及びフォルダロック解除に用いるＴＡＢＬＥが保存されている。
【００１９】
図４に示すようにＴＡＢＬＥには、フォルダロックされたフォルダ名とフォルダロック実行時に撮影した登録画像の画像ファイル名が対応づけて記録される。
【００２０】
登録画像ＲＰは、例えば、人間の手相や指紋、顔などの個々で特徴が異なる部分を含む画像であり、フォルダロックを解除するには画像を新たに撮影し、当該登録画像と当該新たに撮影した画像を照合することで認証を行う。フォルダロックの解除については後述する。
【００２１】
本実施例では、登録画像は人物の手相であるものとする。照合の結果、登録画像に含まれる手相の特徴と新たに撮影した照合画像に含まれる手相の特徴が一致した場合、当該フォルダロックが解除され、該フォルダ内に記録されている画像ファイルのファイル操作が可能となる。
【００２２】
ここで、フォルダロック及び登録画像の撮影及び登録方法について説明する。使用者によって操作部２１を介してフォルダロック処理を行う操作がなされると、表示部１３にフォルダの一覧がリスト表示され、使用者はロックをかけたいフォルダを操作部２１を介して選択する。使用者がロックをかけたいフォルダを選択すると、ＣＰＵ１７は、選択されたフォルダのフォルダ名をＴＡＢＬＥのフォルダ名欄に書き込む。
【００２３】
続いて、撮像装置は、認証画像撮影モードに移行する。認証画像撮影モード時の基本的な撮影処理動作は、上述した静止画撮影時と同一であるが、図５に示すようにプレビューモード時にレンズ部を介して得られた画像と共に矩形枠１３ａを表示する。使用者は、この矩形枠１３ａ内に自分の掌が収まるように撮影構図を調整し撮影を行う。このとき、使用者の掌が矩形枠１３ａ内に収まるよう誘導するようにしても良い。
【００２４】
シャッタボタン２１ｓが押下されると、画像処理部７及び圧縮処理部９で上述した処理が施された後、矩形枠１３ａ内に含まれる部分画像を切り出し、切り出した部分画像を外部メモリ２７のＮＩＮＳＹＯフォルダＦ３ｃ内に記録する。
【００２５】
掌の撮影が完了すると、ＣＰＵ１７は、撮影した画像にファイル名を付けて外部メモリ４７のＮＩＮＳＹＯフォルダＦ３ｃに記録すると共に、当該ファイル名を選択されたフォルダ名と対応付けてＴＡＢＬＥの画像ファイル名欄に書き込む。この結果、当該フォルダ内に記録されている画像ファイルに対するファイル操作が禁止される。
【００２６】
尚、認証画像撮影モード中に認証画像の撮影を行わず、認証画像撮影モードがキャンセルされた場合、ＣＰＵ１７はＴＡＢＬＥに書き込んだフォルダ名を削除する。
【００２７】
図６は、フォルダロックの処理動作を示すフローチャートである。使用者によってフォルダロックを行う操作がなされるとＣＰＵ１７はフォルダロック処理を開始し、ステップＳ６００に移行する。
【００２８】
ステップＳ６００では、フォルダの一覧が表示部１３にリスト表示される。ステップＳ６０２では、ロックしたいフォルダが選択されたか否かを判別する。フォルダが選択された場合はステップＳ６０４に進み、そうでない場合はステップＳ６１４に進む。
【００２９】
ステップＳ６０４では、選択されたフォルダのフォルダ名をＴＡＢＬＥのフォルダ名欄に書き込む。書き込みが完了するとステップＳ６０６に進む。
【００３０】
ステップＳ６０６では、登録画像撮影モードに移行し、ステップＳ６０８では画像が撮影されたか否かを判別する。画像が撮影された場合はステップＳ６１０に進み、そうでない場合はステップＳ６１８に進む。
【００３１】
ステップＳ６１０では、撮影した画像から、矩形枠内に含まれる部分画像を切り出す。ステップＳ６１２では、切り出した部分画像を登録画像として外部メモリ２７に記録すると共に、当該登録画像のファイル名をＴＡＢＬＥの画像ファイル名欄に、フォルダ名と対応付けて書き込む。
【００３２】
ステップＳ６１４では、選択されたフォルダに格納されている画像ファイルに対する操作を制限する。画像ファイルに対する操作の制限が完了したらフォルダロック処理を終了する。
【００３３】
ステップＳ６１６では、フォルダ選択がキャンセルされたか否かを判別する。フォルダ選択がキャンセルされた場合はフォルダロック処理を終了する。そうでない場合はステップＳ６０２に戻る。
【００３４】
ステップＳ６１８では、登録画像の撮影がキャンセルされたか否かを判別する。認証画像の撮影がキャンセルされた場合はステップＳ６２０に進み、そうでない場合はステップＳ６０８に戻る。
【００３５】
ステップＳ６２０では、ステップＳ６０４でＴＡＢＬＥに書き込んだフォルダ名を削除する。フォルダ名の削除が完了したらフォルダロック処理を終了する。
尚、本実施形態では、認証画像の撮影後にフォルダロックをかけたいフォルダを選択しているが、認証画像の撮影を行ってから、ロックをかけたいフォルダを選択するようにしても良い。
（フォルダロック解除機能）
本発明にかかる撮像装置は、上記フォルダロック機能によってかけられたロックを解除するフォルダロック解除機能を備えている。フォルダロックは、認証処理を行うことで解除される。フォルダロックが解除されると、当該フォルダ内に記録されている画像ファイルに対して、再生、表示、コピー、削除、編集等の操作を行うことができるようになる。
【００３６】
フォルダロック解除機能は、例えば、次のようにして実現される。使用者によって操作部２１を介してフォルダロック解除を行う操作がなされると、表示部１３に現在フォルダロックされているフォルダの一覧がリスト表示される。使用者によりロックを解除したいフォルダが選択されると、照合画像撮影モードに移行する。
【００３７】
照合画像撮影モードでは、登録画像撮影モードと同様に、プレビューモード時にレンズ部を解して得られた画像と共に矩形枠１３ａを表示する。使用者は、矩形枠１３ａ内に掌が収まるように撮影構図を調整し撮影を行う。撮影された画像は画像処理部７で処理を施された後、画像切り出し部７ａに出力され、画像切り出し部７ａで矩形枠１３ａ内に含まれる部分画像を切り出された後、画像照合部７ｂに出力される。
【００３８】
照合画像の撮影が完了すると、ＣＰＵ１７は、外部メモリ２７のＮＩＮＳＹＯフォルダＦ３ｃ内にあるＴＡＢＬＥから選択されたフォルダに対応付けて書き込まれている登録画像ファイル名に基づき当該登録画像をＮＩＮＳＹＯフォルダＦ３ｃ内から探索する。
【００３９】
登録画像をＮＩＮＳＹＯフォルダＦ３ｃ内から発見すると、当該画像データをドライバ２９を介して外部メモリ２７から読み出し、伸長処理部１１で伸長処理を施してから画像照合部７ｂに出力する。このとき登録画像がどのような画像であるか使用者に通知するために、一定時間の間、当該画像を表示部１３に表示するようにしても良い。
【００４０】
画像照合部７ｂは、登録画像と照合画像とを照合し、登録画像と照合画像の特徴が一致するか否かを判別する。この照合処理については後述する。
【００４１】
照合の結果、登録画像と照合画像の特徴が一致した場合、フォルダのロックを解除し、当該フォルダ内に記録されている画像に対するファイル操作が可能となる。
【００４２】
一方、登録画像と照合画像の特徴が一致しなかった場合、表示部１３にエラーメッセージを表示する。エラーメッセージを表示した後で、再度、照合画像撮影モードに移行する。
【００４３】
図７は、フォルダロック解除の処理動作を示すフローチャートである。使用者によってフォルダロック解除を行う操作がなされると、ＣＰＵ１７はフォルダロック解除処理を開始し、ステップＳ７００に移行する。
【００４４】
ステップＳ７００では、現在ロックがかけられているフォルダの一覧が表示部１３にリスト表示される。ステップＳ７０２では、ロックを解除したいフォルダが選択されたか否かを判別する。フォルダが選択された場合はステップＳ７０４に進み、そうでない場合はステップＳ７１６に進む。
【００４５】
ステップＳ７０４では、照合画像撮影モードに移行し、ステップＳ７０６では、照合画像が撮影されたか否かを判別する。照合画像が撮影された場合はステップＳ７０８に進み、そうでない場合はステッブＳ７１８に進む。
【００４６】
ステップＳ７０８では、撮影した画像から、矩形枠１３ａ内に含まれる部分画像を切り出し、切り出した画像を画像照合部７ｂに出力する。ステップＳ７１０では、登録画像と照合画像とを照合し、各画像の特徴が一致するか否かを判定し、判定結果をＣＰＵ１７に出力する。ステップＳ７１２では、判定の結果、登録画像と照合画像の特徴が一致したか否かを判別する。特徴が一致した場合はステップＳ７１４に進み、そうでない場合はステップＳ７２０に進む。
【００４７】
ステップＳ７１４では、フォルダロックを解除する。フォルダロックが解除されると、フォルダロック解除処理を終了する。
【００４８】
ステップＳ７１６では、フォルダロック解除処理がキャンセルされたか否かを判別する。キャンセルされた場合はフォルダロック解除処理を終了し、そうでない場合はステップＳ７０２に戻る。
【００４９】
ステップＳ７１８では、照合画像の撮影がキャンセルされたか否かを判別する。キャンセルされた場合は、フォルダロック解除処理を終了し、そうでない場合はステップＳ７０６に戻る。
【００５０】
ステップＳ７２０では、エラー通知を行う。エラー通知が完了すると、ステップＳ７０４に戻る。
（画像照合処理）
ここで、画像照合処理について説明する。画像照合処理は、例えば、画像のパターンマッチングを用いることで実現できる。パターンマッチングを利用して登録画像と照合画像の類似度（similarity measure）ＳＭを導出する。パターンマッチングは、例えば、ディジタル画像処理第２版（ＣＧ−ＡＲＴＳ協会出版，２００７年３月１日発行）に記載されている手法で行う。類似度は、例えば、ＳＳＤ（Sum of Squared Difference）やＳＡＤ（Sum of Absolute Difference）を用いて導出する。類似度の値は、画像が類似しているほど小さくなる。
【００５１】
図８は画像照合部７ｂの内部構造の概略示すブロック図である。画像照合部７ｂは、画像のエッジ近傍部分を強調する鮮鋭化処理部７１、鮮鋭化した画像に基づき類似度を導出する類似度導出部７２、類似度に基づき照合結果を出力する照合結果判定部７３を備える。鮮鋭化処理部７１は、出力された登録画像及び照合画像に対して鮮鋭化処理を施し、類似度導出部７２に出力する。鮮鋭化処理は、例えば、ラプラシアンフィルタを適用することで実現できる。ラプラシアンフィルタとは、注目画素の近傍領域（例えば注目画素を中心とした３×３の画素領域など）における空間二次微分値を係数倍して注目画素から引くことにより、画像をシャープにするフィルタである。即ち、輪郭（エッジ）部分の両側で、明るい（換言すると、画素値が大きい）部分はより明るく、暗い（換言すると、画素値が小さい）部分はより暗くなり、且つ、エッジの傾斜が急になる。その結果、鮮鋭化された画像が得られる。
【００５２】
類似度導出部７２では、鮮鋭化処理部７１から出力された登録画像と照合画像との類似度ＳＭを導出し、導出結果を照合結果判定部７３に出力する。
【００５３】
照合結果判定部７３では、類似度導出部７２から出力された類似度ＳＭが閾値ＴＨ以下であるか否かを判別し、類似度が閾値以下であれば各画像の特徴が一致すると判断し、類似度が閾値以上であれば各画像の特徴が一致しないと判断する。判断結果は、ＣＰＵ１７に出力される。
【００５４】
図９は画像照合処理動作（図７、Ｓ７１０）を示すフローチャートである。ステップＳ９００では、登録画像及び照合画像に対して鮮鋭化処理を施し、エッジ近傍の画素を強調する。鮮鋭化処理が施された各画像は、類似度導出部７２に出力される。ステップＳ９０２では、鮮鋭化処理部７１から出力された登録画像と照合画像との類似度ＳＭを導出し、該導出結果を照合結果判定部７３に出力する。
【００５５】
ステップ９０４では、類似度ＳＭが閾値ＴＨを下回るか否かを判別する。ＳＭ≦ＴＨであれば、ステップＳ９０６に進み、そうでない場合はステップＳ９０８に進む。
【００５６】
ステップ９０６では、登録画像及び照合画像の特徴が一致したと判断し、該判断結果をＣＰＵ１７に出力する。ステップＳ９０８では、登録画像及び照合画像の特徴が一致しなかったと判断し、該判断結果をＣＰＵ１７に出力する。
（まとめ）
以上述べてきたように、本発明に係る電子機器は、撮影した画像データの機密性を維持すると共に当該電子機器の製造コストを抑えることができる。
【００５７】
尚、本実施例においてフォルダロックを解除するための認証鍵として手相の画像を保存するようにしているが、手相の特徴情報を抽出し、当該特徴情報を保存するようにしても良い。
【００５８】
また、フォルダロック解除のための照合処理について、パターンマッチングではなく、掌の表面積、指の長さ、関節の位置などに基づき照合を行なう掌形認証を用いても良い。
【００５９】
また、本発明の一実施形態として、撮像装置を例として説明してきたが、本発明は、例えば、カメラ付携帯電話などの撮像機能を有する電子機器、ＰＣ、ＩＣレコーダーにも適用することができる。
【００６０】
ＰＣに適用する場合、予め画像をＰＣの記録媒体又はＰＣに装着可能な記録媒体に用意しておき、フォルダロック時に当該画像の特徴部分を指定し、指定された部分を切り出し、当該切り出し画像を登録画像として登録するようにすればよい。フォルダロックを解除する際も上記同様の処理をすればよい。フォルダロック中はフォルダロックに使用した画像をＰＣから着脱可能な記録媒体に記録し、当該記録媒体をＰＣから隔離して保存しておくことでデータの機密性は保証される。
【００６１】
ＩＣレコーダーに適用する場合、画像の代わりに音声をフォルダロックに使用する。フォルダロックを解除する際はＩＣレコーダーで音声を取得し、当該音声とフォルダロックに使用した音声との特徴が一致した場合にフォルダロックを解除するようにすれば良い。
【００６２】
以上、本発明の一実施例について説明したが、本発明はこれらの実施形態に限定されず、その要旨の範囲内で変形及び変更が可能である。
【符号の説明】
【００６３】
１      イメージセンサ
３      レンズ部
５      ＡＦＥ
７      画像処理部
７ａ    画像切り出し部
７ｂ    画像照合部
９      圧縮処理部
１１      伸長処理部
１３      表示部
１５      ＴＧ
１７      ＣＰＵ
１９      メモリ
２１      操作部
２１ｓ    シャッタボタン
２３      バス回線
２５      バス回線
２７      外部メモリ
２９      ドライバ部
【図１】
2011095980.tif 000003
【図２】
2011095980.tif 000004
【図３】
2011095980.tif 000005
【図４】
2011095980.tif 000006
【図５】
2011095980.tif 000007
【図６】
2011095980.tif 000008
【図７】
2011095980.tif 000009
【図８】
2011095980.tif 000010
【図９】
2011095980.tif 000011